(57)【要約】      （修正有）【課題】簡素な構成で、医療用モバイル端末機の感染を効果的に防止をすることができる医療用モバイル端末機のカバーシートを提供する。【解決手段】医療機関で使用される医療用モバイル端末機６を収容するカバーシート１であって、医療用モバイル端末機６を収容する収容部５と、収容部５を開口する開口部３とを有する袋状に形成されており、抗菌加工が施された使い捨ての透明又は半透明の可撓性材料からなるカバーシートである。【選択図】図３
0003191093.tif 000002
【実用新案登録請求の範囲】
【請求項１】
医療機関で使用される医療用モバイル端末機を収容するカバーシートであって、
前記カバーシートは、前記医療用モバイル端末機を収容する収容部と、前記収容部を開口する開口部とを有する袋状に形成されており、抗菌加工が施された使い捨ての透明又は半透明の可撓性材料からなるカバーシートである
ことを特徴とする医療用モバイル端末機のカバーシート。
【考案の詳細な説明】
【技術分野】
【０００１】
本考案は、医療機関で使用される医療用モバイル端末機を収容するため医療用モバイル端末機のカバーシートに関するものである。
【背景技術】
【０００２】
近年、携帯情報端末（ＰＤＡ）やタブレットＰＣやスマートフォンなど多くの電子機器の小型軽量化が進み、移動や他の作業を行いながらの使用が可能な製品が増えてきている。そのため、電子機器の使用場所は屋内の清浄な環境下に限らず、様々な場所に広がっている。このため、電子機器が水や埃などにさらされる場合が多くなっている。そこで、電子機器を水や埃などから防護することが求められている。このような事情から、一般家電販売店や通信機器ストア等において日常生活で使用するための電子機器用の保護カバーとして各種の商品が販売されている。
【０００３】
このような保護カバーの一例として、特許文献１には、携帯情報端末等の防水や防塵の用途に使用される保護カバーが記載されている。この保護カバーは、携帯情報端末等を収納するための防水性を有する透明又は半透明の材料で袋状に形成されており、携帯情報端末等の表示部及び操作部が外部から透けて見えるようになっている。また、保護カバーの入口部には、開閉自在の水密封止具が設けられている。
【先行技術文献】
【特許文献】
【０００４】
【特許文献１】実用新案登録第３１４３４７５号公報
【考案の概要】
【考案が解決しようとする課題】
【０００５】
しかしながら、特許文献１に記載の保護カバーは、防水や防塵などを目的とした保護カバーであり、医療機関で使用される医療用モバイル端末機の細菌などによる感染を防止するための保護カバーではない。
【０００６】
したがって、本考案の目的は、簡素な構成で、医療用モバイル端末機の感染を効果的に防止をすることができる医療用モバイル端末機のカバーシートを提供することにある。
【課題を解決するための手段】
【０００７】
上記課題を解決するための本考案は、医療機関で使用される医療用モバイル端末機（６）を収容するカバーシート（１）であって、前記カバーシート（１）は、前記医療用モバイル端末機（６）を収容する収容部（５）と、前記収容部（５）を開口する開口部（３）とを有する袋状に形成されており、抗菌加工が施された使い捨ての透明又は半透明の可撓性材料からなるカバーシート（１）であることを特徴とする。
【考案の効果】
【０００８】
本考案にかかる医療用モバイル端末機のカバーシートは、医療用モバイル端末機を収容する収容部と、当該収容部を開口する開口部とを有する袋状に形成されていることで、医療用モバイル端末機を収容して、外部雰囲気から遮断した状態を保持することが容易に可能となる。また、透明又は半透明の可撓性材料からなるカバーシートであることで、収容部に収容した医療用モバイル端末機の操作性及び視認性を確保することができる。さらに、抗菌加工が施されたカバーシートであることで、医療用モバイル端末機の操作等による細菌の発生や増殖を効果的に抑制することができ、かつ、カバーシートが使い捨ての材料からなることで、使用により汚染されたカバーシートをその都度廃棄することで、常に清潔な状態のカバーシートを使用することができる。したがって、医療用モバイル端末機の感染を効果的に防止できる。
【考案を実施するための形態】
【０００９】
以下、添付図面を参照して本考案の実施形態を詳細に説明する。図１乃至図３は、本考案の一実施形態にかかる医療用モバイル端末機のカバーシートを示す図で、図１は、正面図、図２は、側面図、図３は、斜視図である。本実施形態のカバーシート１は、病院や歯科医院などの医療機関で使用されるタブレットＰＣなどの医療用モバイル端末機６を収容するためのカバーシートである。このカバーシート１は、医療用モバイル端末機６を収容する収容部５と、収容部５を開口する開口部３とを有する袋状に形成されており、抗菌加工が施された使い捨ての透明又は半透明の合成樹脂フィルムなどの可撓性材料からなるカバーシートである。
【００１０】
カバーシート１は、その外形が略長方形状に形成されており、透明又は半透明な二枚のシート（フィルム）である前シート（前フィルム）２ａと後シート（後フィルム）２ｂの三辺の外周縁同士を貼り合わせて袋状に形成されている。前シート２ａと後シート２ｂの一辺（上辺）は、貼り合わされておらず、開口部２を形成している。
【００１１】
上記構成のカバーシート１は、医療用モバイル端末機６を開口部３から収容部５内に収容し、その状態でカバーシート１の上から医療用モバイル端末機６の液晶画面（タッチパネル）６ａの操作を行うことができる。そして、使用が終わったカバーシート１は、その都度廃棄することで、常に新しい清潔なカバーシート１を使用することができる。
【００１２】
本実施形態の医療用モバイル端末機のカバーシート１によれば、医療用モバイル端末機６を収容する収容部５と、当該収容部５を開口する開口部３とを有する袋状に形成されていることで、医療用モバイル端末機６を収容して、外部雰囲気から遮断した状態を保持することが容易に可能となる。また、透明又は半透明の可撓性材料からなるカバーシートであることで、収容部５に収容した医療用モバイル端末機６の操作性及び視認性を確保することができる。さらに、抗菌加工が施されたカバーシート１であることで、医療用モバイル端末機６の操作や持ち運び等による細菌の発生や増殖を効果的に抑制することができ、かつ、カバーシート１が使い捨ての材料からなることで、医療現場での使用により汚染されたカバーシート１をその都度廃棄することで、常に清潔な状態のカバーシート１を使用することができる。したがって、簡素な構成でありながら、医療用モバイル端末機６の細菌などによる感染を効果的に防止できる。
【００１３】
以上、本考案の実施形態を説明したが、本考案は上記実施形態に限定されるものではなく、特許請求の範囲、及び明細書と図面に記載された技術的思想の範囲内において種々の変形が可能である。
【図面の簡単な説明】
【００１４】
【図１】本考案の一実施形態にかかる医療用モバイル端末機のカバーシートを示す正面図である。
【図２】カバーシートを示す側面図である。
【図３】カバーシートを示す斜視図である。
【符号の説明】
【００１５】
１      カバーシート
２ａ    前シート
２ｂ    後シート
３      開口部
４      外周縁
５      収容部
６      医療用モバイル端末機
【図１】
0003191093.tif 000003
【図２】
0003191093.tif 000004
【図３】
0003191093.tif 000005